(57)【要約】【課題】スマートフォンなどを操作機器として利用することにより、簡単な処理で、映像の視認性を損なうことなく、表示機器及び周辺機器の操作性を向上させる。【解決手段】機器操作システムは、レコーダ１０が接続されたＴＶ２０と、ＴＶ２０及びレコーダ１０からなる複数の機器を選択的に操作可能な携帯端末５０とが接続される。ＴＶ２０は、入力切替操作時に指定された操作対象機器の種別を示す機器種別情報または該操作対象機器の操作パネルパターンに割り当てられたパターン識別情報を携帯端末５０に通知する通知手段を備える。携帯端末５０は、ＴＶ２０から通知された操作対象機器の機器種別情報またはパターン識別情報に基づいて操作対象機器の操作パネルパターンを取得する操作パネルパターン取得手段と、取得した操作パネルパターンをタッチ操作可能に表示する表示部とを備える。【選択図】図１
2013021672.tif 000002
【特許請求の範囲】
【請求項１】
１以上の周辺機器が接続された表示機器と、該表示機器及び１以上の周辺機器からなる複数の操作対象機器を選択的に操作可能な操作機器とが接続された機器操作システムであって、
前記表示機器は、入力切替操作時に指定された操作対象機器の種別を示す機器種別情報または該操作対象機器の操作パネルパターンに割り当てられたパターン識別情報を前記操作機器に通知する通知手段を備え、
前記操作機器は、前記表示機器から通知された前記操作対象機器の機器種別情報またはパターン識別情報に基づいて前記操作対象機器の操作パネルパターンを取得する操作パネルパターン取得手段と、該取得した操作パネルパターンをタッチ操作可能に表示する操作パネルパターン表示手段とを備えたことを特徴とする機器操作システム。
【請求項２】
請求項１に記載の機器操作システムにおいて、前記操作機器は、前記複数の操作対象機器の機器種別情報とパターン識別情報とを対応付けた機器種別／操作パネルパターン対応テーブルを備え、前記表示機器から前記操作機器に前記操作対象機器の機器種別情報が通知された場合、前記操作パネルパターン取得手段は、前記表示機器から通知された前記操作対象機器の機器種別情報に基づいて、前記機器種別／操作パネルパターン対応テーブルを参照することにより、前記操作対象機器のパターン識別情報に応じた操作パネルパターンを取得することを特徴とする機器操作システム。
【請求項３】
請求項１に記載の機器操作システムにおいて、前記表示機器は、前記複数の操作対象機器の機器種別情報とパターン識別情報とを対応付けた機器種別／操作パネルパターン対応テーブルを備え、前記表示機器から前記操作機器に前記操作対象機器のパターン識別情報を通知する際に、前記通知手段は、前記操作対象機器の機器種別情報に基づいて、前記機器種別／操作パネルパターン対応テーブルを参照することにより、前記操作対象機器のパターン識別情報を前記操作機器に通知することを特徴とする機器操作システム。
【請求項４】
請求項１〜３のいずれか１項に記載の機器操作システムにおいて、前記操作機器は、複数の操作パネルパターンを記憶した操作パネルパターン記憶手段を備え、前記操作パネルパターン取得手段は、前記操作対象機器の操作パネルパターンを前記操作パネルパターン記憶手段から取得することを特徴とする機器操作システム。
【請求項５】
請求項１〜３のいずれか１項に記載の機器操作システムにおいて、前記操作機器は、複数の操作パネルパターンを記憶したサーバ装置とネットワークを介して接続され、前記操作パネルパターン取得手段は、前記操作対象機器の操作パネルパターンを前記サーバ装置から取得することを特徴とする機器操作システム。
【請求項６】
請求項１〜５のいずれか１項に記載の機器操作システムにおいて、前記表示機器は、該表示機器の入力端子に周辺機器が接続されたときに、該周辺機器の種別を示す機器種別情報を取得し、該取得した機器種別情報と前記入力端子とを対応付けて登録することを特徴とする機器操作システム。
【請求項７】
請求項１〜６のいずれか１項に記載の機器操作システムにおいて、前記操作機器は、前記操作パネルパターン表示手段に表示された前記周辺機器の操作パネルパターンの操作ボタンが押下された場合、該操作ボタンに応じた操作コマンドを前記表示機器に送信し、前記表示機器は、前記操作機器から受信した操作コマンドを、前記周辺機器の操作を制御するための機器制御用コマンドに変換し、該変換した機器制御用コマンドを前記周辺機器に送信することを特徴とする機器操作システム。
【請求項８】
請求項１〜７のいずれか１項に記載の機器操作システムにおいて、前記操作機器は、該操作機器に表示された前記周辺機器の操作パネルパターンに含まれる所定の操作ボタンが押下された場合、前記表示機器に対して前記周辺機器の操作パネルを表示するように指示すると共に、その旨を通知するためのコーションを表示し、前記周辺機器の操作パネルが前記表示機器に表示されたことを検知すると、前記コーションを消去して、前記表示機器に接続された全ての周辺機器に共通の操作パネルパターンを表示することを特徴とする機器操作システム。
【請求項９】
請求項８に記載の機器操作システムにおいて、前記共通の操作パネルパターンは、カーソルキー及び決定キーを含むことを特徴とする機器操作システム。
【請求項１０】
請求項１〜９のいずれか１項に記載の機器操作システムにおいて、複数の操作機器を備え、前記表示機器及び前記周辺機器は、前記操作機器毎に録画あるいは再生に係るユーザ設定値を記憶して有し、前記入力切替操作時に操作対象機器が指定されたときに、該指定された操作対象機器は、前記操作機器から送信される該操作機器の機器特定情報に応じたユーザ設定値を選択し、該選択したユーザ設定値を設定することを特徴とする機器操作システム。
【請求項１１】
請求項１〜９のいずれか１項に記載の機器操作システムにおいて、複数の操作機器を備え、各前記操作機器は、録画あるいは再生に係るユーザ設定値を記憶して有し、前記操作機器は、前記入力切替操作時に指定された操作対象機器に前記ユーザ設定値を送信し、該指定された操作対象機器は、前記操作機器から送信されたユーザ設定値を設定することを特徴とする機器操作システム。
【請求項１２】
請求項１０又は１１に記載の機器操作システムにおいて、前記ユーザ設定値は、少なくとも録画あるいは再生を行う際の画質及び音質に係る設定値であることを特徴とする機器操作システム。
【請求項１３】
請求項１〜１２のいずれか１項に記載の機器操作システムにおいて、前記操作機器は、電話機能を有し、前記周辺機器に保存されている番組コンテンツを、前記表示機器で表示再生しているときに、前記操作機器に着信があった場合、該操作機器は、前記表示機器に着信中であることを通知し、前記表示機器は、前記操作機器からの着信中通知に応じて、省電力モードに移行すると共に、前記周辺機器に再生の一時停止要求を送信することを特徴とする機器操作システム。
【請求項１４】
請求項１〜１２のいずれか１項に記載の機器操作システムにおいて、前記周辺機器に保存されている番組コンテンツを、前記表示機器で表示再生しているときに、前記操作機器に表示された前記周辺機器の操作パネルパターンの一時停止ボタンが押下された場合、前記操作機器は、前記表示機器に一時停止要求を送信すると共に、前記操作パネルパターンに代えて検索画面を表示させ、前記表示機器は、前記操作機器からの一時停止要求に応じて、省電力モードに移行すると共に、前記周辺機器に再生の一時停止要求を送信し、前記操作機器における前記検索画面から前記操作パネルパターンへの切り替えを検出すると、前記省電力モードを解除すると共に、前記周辺機器に再生の再開要求を送信することを特徴とする機器操作システム。
【請求項１５】
請求項１３又は１４に記載の機器操作システムにおいて、前記省電力モードは、前記表示機器の音量及びバックライト光源の光量を低減するモードであることを特徴とする機器操作システム。
【請求項１６】
請求項１〜１２のいずれか１項に記載の機器操作システムにおいて、前記周辺機器に保存されている番組コンテンツを、前記表示機器で表示再生しているときに、前記操作機器に表示された前記周辺機器の操作パネルパターンの番組情報ボタンが押下された場合、前記操作機器は、前記表示機器に番組情報要求を送信し、前記表示機器は、前記操作機器からの番組情報要求に応じて、前記周辺機器から前記番組コンテンツの番組情報を取得し、該取得した番組情報を前記操作機器に送信することを特徴とする機器操作システム。
【請求項１７】
請求項１〜１２のいずれか１項に記載の機器操作システムにおいて、前記周辺機器に保存されている番組コンテンツを、前記表示機器で表示再生しているときに、前記操作機器に表示された前記周辺機器の操作パネルパターンの停止ボタンが押下された場合、前記操作機器は、前記表示機器に番組情報要求を送信し、前記表示機器は、前記操作機器からの番組情報要求に応じて、前記周辺機器から前記番組コンテンツの番組情報を取得し、該取得した番組情報を前記操作機器に送信し、該操作機器は、前記表示機器から受信した番組情報に含まれる前記番組コンテンツの再生済み時間を保存した後に、前記表示機器に停止要求を送信し、前記表示機器は、前記操作機器からの停止要求に応じて、前記周辺機器に再生の停止要求を送信することを特徴とする機器操作システム。
【請求項１８】
請求項１〜１７のいずれか１項に記載の機器操作システムを構成する表示機器。
【請求項１９】
請求項１〜１７のいずれか１項に記載の機器操作システムを構成する操作機器。
【発明の詳細な説明】
【技術分野】
【０００１】
本発明は、機器操作システム、表示機器、及び操作機器に関し、より詳細には、携帯端末から表示機器及び該表示機器に接続された周辺機器を操作する機器操作システム、該システムを構成する表示機器、及び操作機器に関する。
【背景技術】
【０００２】
従来、テレビ装置（ＴＶ）に対して、レコーダ、プレーヤ、ＳＴＢ（Set Top Box）、ＡＶアンプなどの周辺機器を接続して、テレビから周辺機器を操作することが行われている。例えば、特許文献１には、ＴＶに接続された周辺機器の操作パネルをＴＶの画面上に表示させて、ＴＶから周辺機器を操作する技術が記載されている。例えば、ＴＶとレコーダとが接続されたシステムにおいて、ＴＶは、レコーダの操作パネルを構成する操作ボタン用画像データを画面上に配置するための配置情報を含む操作パネル情報を記憶する記憶部を有する。レコーダは、操作ボタン用画像データを記憶した記憶部を有し、ＴＶから取得した操作パネル情報に応じて、記憶部に記憶されている操作ボタン用画像データを配置情報に対応付けてＴＶに送信する。そして、ＴＶは、レコーダから送信された操作ボタン用画像データを、配置情報に対応する位置に配置して表示する。
【先行技術文献】
【特許文献】
【０００３】
【特許文献１】国際公開第２０１１／０４０１５２号パンフレット
【発明の概要】
【発明が解決しようとする課題】
【０００４】
しかしながら、上記特許文献１に記載の技術の場合、ＴＶの画面上にレコーダの操作パネルを表示させる際に、操作パネルを視聴中の映像に重ねて表示させるか、あるいは、視聴中の映像を縮小（スケーリング）して、映像と操作パネルとが重ならないように表示させる。いずれにしても視聴中の映像表示の妨げとなり、映像の視認性を劣化させてしまう場合がある。また、リモコンを操作して、ＴＶ画面に表示された操作パネル上でカーソルを移動させ、所望の操作ボタンを選択するようにしているが、ユーザはＴＶ画面の操作パネルを見ながら、リモコンを操作しなくてはならず、リモコン操作にはある程度の慣れが必要とされる。また、ＴＶ側の配置情報とレコーダ側の操作ボタン用画像データとを対応付ける処理を行っているが、これにより機器間での処理を複雑にしていた。
【０００５】
本発明は、上述のような実情に鑑みてなされたもので、スマートフォンなどを操作機器として利用することにより、簡単な処理で、映像の視認性を損なうことなく、表示機器及び周辺機器の操作性を向上させることができる機器操作システム、該システムを構成する表示機器、及び操作機器を提供すること、を目的とする。
【課題を解決するための手段】
【０００６】
上記課題を解決するために、本発明の第１の技術手段は、１以上の周辺機器が接続された表示機器と、該表示機器及び１以上の周辺機器からなる複数の操作対象機器を選択的に操作可能な操作機器とが接続された機器操作システムであって、前記表示機器は、入力切替操作時に指定された操作対象機器の種別を示す機器種別情報または該操作対象機器の操作パネルパターンに割り当てられたパターン識別情報を前記操作機器に通知する通知手段を備え、前記操作機器は、前記表示機器から通知された前記操作対象機器の機器種別情報またはパターン識別情報に基づいて前記操作対象機器の操作パネルパターンを取得する操作パネルパターン取得手段と、該取得した操作パネルパターンをタッチ操作可能に表示する操作パネルパターン表示手段とを備えたことを特徴としたものである。
【０００７】
第２の技術手段は、第１の技術手段において、前記操作機器は、前記複数の操作対象機器の機器種別情報とパターン識別情報とを対応付けた機器種別／操作パネルパターン対応テーブルを備え、前記表示機器から前記操作機器に前記操作対象機器の機器種別情報が通知された場合、前記操作パネルパターン取得手段は、前記表示機器から通知された前記操作対象機器の機器種別情報に基づいて、前記機器種別／操作パネルパターン対応テーブルを参照することにより、前記操作対象機器のパターン識別情報に応じた操作パネルパターンを取得することを特徴としたものである。
【０００８】
第３の技術手段は、第１の技術手段において、前記表示機器は、前記複数の操作対象機器の機器種別情報とパターン識別情報とを対応付けた機器種別／操作パネルパターン対応テーブルを備え、前記表示機器から前記操作機器に前記操作対象機器のパターン識別情報を通知する際に、前記通知手段は、前記操作対象機器の機器種別情報に基づいて、前記機器種別／操作パネルパターン対応テーブルを参照することにより、前記操作対象機器のパターン識別情報を前記操作機器に通知することを特徴としたものである。
【０００９】
第４の技術手段は、第１〜第３のいずれか１の技術手段において、前記操作機器は、複数の操作パネルパターンを記憶した操作パネルパターン記憶手段を備え、前記操作パネルパターン取得手段は、前記操作対象機器の操作パネルパターンを前記操作パネルパターン記憶手段から取得することを特徴としたものである。
【００１０】
第５の技術手段は、第１〜第３のいずれか１の技術手段において、前記操作機器は、複数の操作パネルパターンを記憶したサーバ装置とネットワークを介して接続され、前記操作パネルパターン取得手段は、前記操作対象機器の操作パネルパターンを前記サーバ装置から取得することを特徴としたものである。
【００１１】
第６の技術手段は、第１〜第５のいずれか１の技術手段において、前記表示機器は、該表示機器の入力端子に周辺機器が接続されたときに、該周辺機器の種別を示す機器種別情報を取得し、該取得した機器種別情報と前記入力端子とを対応付けて登録することを特徴としたものである。
【００１２】
第７の技術手段は、第１〜第６のいずれか１の技術手段において、前記操作機器は、前記操作パネルパターン表示手段に表示された前記周辺機器の操作パネルパターンの操作ボタンが押下された場合、該操作ボタンに応じた操作コマンドを前記表示機器に送信し、前記表示機器は、前記操作機器から受信した操作コマンドを、前記周辺機器の操作を制御するための機器制御用コマンドに変換し、該変換した機器制御用コマンドを前記周辺機器に送信することを特徴としたものである。
【００１３】
第８の技術手段は、第１〜第７のいずれか１の技術手段において、前記操作機器は、該操作機器に表示された前記周辺機器の操作パネルパターンに含まれる所定の操作ボタンが押下された場合、前記表示機器に対して前記周辺機器の操作パネルを表示するように指示すると共に、その旨を通知するためのコーションを表示し、前記周辺機器の操作パネルが前記表示機器に表示されたことを検知すると、前記コーションを消去して、前記表示機器に接続された全ての周辺機器に共通の操作パネルパターンを表示することを特徴としたものである。
【００１４】
第９の技術手段は、第８の技術手段において、前記共通の操作パネルパターンは、カーソルキー及び決定キーを含むことを特徴としたものである。
【００１５】
第１０の技術手段は、第１〜第９のいずれか１の技術手段において、複数の操作機器を備え、前記表示機器及び前記周辺機器は、前記操作機器毎に録画あるいは再生に係るユーザ設定値を記憶して有し、前記入力切替操作時に操作対象機器が指定されたときに、該指定された操作対象機器は、前記操作機器から送信される該操作機器の機器特定情報に応じたユーザ設定値を選択し、該選択したユーザ設定値を設定することを特徴としたものである。
【００１６】
第１１の技術手段は、第１〜第９のいずれか１の技術手段において、複数の操作機器を備え、各前記操作機器は、録画あるいは再生に係るユーザ設定値を記憶して有し、前記操作機器は、前記入力切替操作時に指定された操作対象機器に前記ユーザ設定値を送信し、該指定された操作対象機器は、前記操作機器から送信されたユーザ設定値を設定することを特徴としたものである。
【００１７】
第１２の技術手段は、第１０又は第１１の技術手段において、前記ユーザ設定値は、少なくとも録画あるいは再生を行う際の画質及び音質に係る設定値であることを特徴としたものである。
【００１８】
第１３の技術手段は、第１〜第１２のいずれか１の技術手段において、前記操作機器は、電話機能を有し、前記周辺機器に保存されている番組コンテンツを、前記表示機器で表示再生しているときに、前記操作機器に着信があった場合、該操作機器は、前記表示機器に着信中であることを通知し、前記表示機器は、前記操作機器からの着信中通知に応じて、省電力モードに移行すると共に、前記周辺機器に再生の一時停止要求を送信することを特徴としたものである。
【００１９】
第１４の技術手段は、第１〜第１２のいずれか１の技術手段において、前記周辺機器に保存されている番組コンテンツを、前記表示機器で表示再生しているときに、前記操作機器に表示された前記周辺機器の操作パネルパターンの一時停止ボタンが押下された場合、前記操作機器は、前記表示機器に一時停止要求を送信すると共に、前記操作パネルパターンに代えて検索画面を表示させ、前記表示機器は、前記操作機器からの一時停止要求に応じて、省電力モードに移行すると共に、前記周辺機器に再生の一時停止要求を送信し、前記操作機器における前記検索画面から前記操作パネルパターンへの切り替えを検出すると、前記省電力モードを解除すると共に、前記周辺機器に再生の再開要求を送信することを特徴としたものである。
【００２０】
第１５の技術手段は、第１３又は第１４の技術手段において、前記省電力モードは、前記表示機器の音量及びバックライト光源の光量を低減するモードであることを特徴としたものである。
【００２１】
第１６の技術手段は、第１〜第１２のいずれか１の技術手段において、前記周辺機器に保存されている番組コンテンツを、前記表示機器で表示再生しているときに、前記操作機器に表示された前記周辺機器の操作パネルパターンの番組情報ボタンが押下された場合、前記操作機器は、前記表示機器に番組情報要求を送信し、前記表示機器は、前記操作機器からの番組情報要求に応じて、前記周辺機器から前記番組コンテンツの番組情報を取得し、該取得した番組情報を前記操作機器に送信することを特徴としたものである。
【００２２】
第１７の技術手段は、第１〜第１２のいずれか１の技術手段において、前記周辺機器に保存されている番組コンテンツを、前記表示機器で表示再生しているときに、前記操作機器に表示された前記周辺機器の操作パネルパターンの停止ボタンが押下された場合、前記操作機器は、前記表示機器に番組情報要求を送信し、前記表示機器は、前記操作機器からの番組情報要求に応じて、前記周辺機器から前記番組コンテンツの番組情報を取得し、該取得した番組情報を前記操作機器に送信し、該操作機器は、前記表示機器から受信した番組情報に含まれる前記番組コンテンツの再生済み時間を保存した後に、前記表示機器に停止要求を送信し、前記表示機器は、前記操作機器からの停止要求に応じて、前記周辺機器に再生の停止要求を送信することを特徴としたものである。
【００２３】
第１８の技術手段は、第１〜第１７のいずれか１の技術手段における機器操作システムを構成する表示機器である。
【００２４】
第１９の技術手段は、第１〜第１７のいずれか１の技術手段における機器操作システムを構成する操作機器である。
【発明の効果】
【００２５】
本発明によれば、スマートフォンなどを操作機器として利用する際に、操作機器の画面上に表示機器及び表示機器に接続された周辺機器の操作パネルパターンを選択的に表示させ、操作機器から複数の機器を操作することができるため、簡単な処理で、映像の視認性を損なうことなく、表示機器及び周辺機器の操作性を向上させることができる。
【図面の簡単な説明】
【００２６】
【図１】本発明に係る機器操作システムの構成例を示す図である。
【図２】図１に示した機器操作システムの構成例を説明するためのブロック図である。
【図３】操作パネルパターンの一例を示す図である。
【図４】本発明の機器操作システムによる動作例を説明するための図である。
【図５】本発明の第１の実施形態に係るＴＶ及び携帯端末の要部構成例を機能的に示したブロック図である。
【図６】本発明の第１の実施形態に係るＴＶ及び携帯端末にそれぞれ格納されているデータテーブルの一例を示す図である。
【図７】本発明の第２の実施形態に係るＴＶ及び携帯端末の要部構成例を機能的に示したブロック図である。
【図８】本発明の第２の実施形態に係るＴＶに格納されているデータテーブルの一例を示す図である。
【図９】本発明に係る機器操作システムにおいて、サーバ装置に操作パネルパターンを保存した場合の構成例を示す図である。
【図１０】本発明の第２の実施形態に係る機器操作システムによる機器操作方法の一例を説明するためのフロー図である。
【図１１】本発明の他の実施形態に係る機器操作システムの動作例を説明するための図である。
【図１２】ＴＶに表示される周辺機器の操作パネルの一例を示す図である。
【図１３】本発明の他の実施形態に係る機器操作システムの動作例を説明するための図である。
【図１４】本発明の他の実施形態に係る機器操作システムの動作例を説明するための図である。
【図１５】本発明の他の実施形態に係る機器操作システムの動作例を説明するための図である。
【図１６】本発明の他の実施形態に係る機器操作システムの動作例を説明するための図である。
【図１７】本発明の他の実施形態に係る機器操作システムの動作例を説明するための図である。
【図１８】本発明の他の実施形態に係る機器操作システムの動作例を説明するための図である。
【発明を実施するための形態】
【００２７】
以下、添付図面を参照しながら、本発明の機器操作システム、該システムを構成する表示機器、及び操作機器に係る好適な実施の形態について説明する。なお、本発明の実施形態においては、表示機器と周辺機器との間を、ＨＤＭＩ（High Definition Multimedia Interface）、ＵＳＢ（Universal Serial Bus）、ＬＡＮ（Local Area Network）等で接続した場合について説明する。
【００２８】
例えば、ＨＤＭＩの規格（バージョン１.４）から、ＨＤＭＩケーブル上でイーサネット（登録商標）信号の双方向通信を行うＨＤＭＩ  Ｅｔｈｅｒｎｅｔ  Ｃｈａｎｎｅｌ（以下、ＨＤＭＩ  ＨＥＣという）という機能が追加されており、このＨＤＭＩ  ＨＥＣ対応のＨＤＭＩを利用するものとする。勿論、通信手段としては、ＨＤＭＩ  ＣＥＣ（Consumer Electronics Control）や、ＩＥＥＥ１３９４、ＵＳＢ、ＬＡＮ、電力線通信（ＰＬＣ：Power Line Communications）、無線通信、光通信などを利用してもよい。
【００２９】
図１は、本発明に係る機器操作システムの構成例を示す図で、図中、１０は周辺機器の一例である録画機器（レコーダ）、２０は表示機器の一例であるＴＶ、５０は操作機器の一例であるスマートフォンなどの携帯端末、４０はＨＤＭＩ  ＨＥＣ対応のＨＤＭＩケーブルを示す。レコーダ１０とＴＶ２０とはＨＤＭＩケーブル４０を介して相互に接続されており、ケーブル一本で映像・音声信号の伝送や、イーサネット信号の伝送、機器間制御用のコマンドを伝送することができる。また、携帯端末５０とＴＶ２０との間は、例えば、ＷｉＦｉ（Wireless Fidelity）などの無線ＬＡＮにより相互に通信可能に接続される。なお、以下では、携帯端末５０として、スマートフォンを例示して説明するが、携帯電話機、ＰＤＡ（Personal Digital Assistant）、タブレットＰＣなどのタッチパネル機能を備えた携帯可能な情報処理機器であればよい。
【００３０】
ここで、ＨＤＭＩについて簡単に説明する。ＨＤＭＩは、ＴＶとレコーダなどの周辺機器間をデジタル接続するためのデジタルインタフェースであり、ＰＣとディスプレイの接続標準規格であるＤＶＩに音声伝送機能や著作権保護機能を加えて、ＡＶ機器向けにアレンジしたものとなっている。従来は機器間の接続にビデオ，オーディオ，コントロールの各信号用の複数のケーブルを用いていたが、ＨＤＭＩではケーブル１本で済むために、機器間の配線を簡略化することができる。
【００３１】
ＨＤＭＩに関する規格は規格化団体であるＨＤＭＩ  Ｌｉｃｅｎｓｉｎｇ，ＬＬＣにより２００２年１２月に基本仕様が策定され（ＨＤＭＩ規格バージョン１.０）、２００５年１２月（ＨＤＭＩ規格バージョン１.２ａ）においてＡＶ機器間のコントロールを行うための制御プロトコルとしてＣＥＣ（Consumer Electronics Control）の規定が追加された。
【００３２】
なお、ＣＥＣに関する用語は、ＨＤＭＩ規格の「2.2 Glossary of Terms」，「CEC 2.2 Glossary of Terms」他に定義されており、ＨＤＭＩ入力端子を持ちＡＶストリームを表示出力するものはシンク（Sink）機器と、ＨＤＭＩ出力端子を持ちＡＶストリームを出力するものはソース（Source）機器と、ＨＤＭＩ入力端子と出力端子を持ちＡＶストリームの入出力（転送）を行うものはリピータ（Repeater）機器と定義されている。
【００３３】
ＨＤＭＩ規格ではＣＥＣを使った機器間制御が定義されている。このＣＥＣによれば、ＨＤＭＩネットワーク上に存在する各機器に割り当てられる固有の物理アドレスと論理アドレスに基づいて様々な制御を可能としている。例えば、ユーザがテレビでデジタル放送を視聴しているときに、ＨＤＭＩで接続されたＤＶＤプレーヤを再生すると、テレビは自動的にＤＶＤプレーヤの接続された入力に切り換える。また、このＤＶＤプレーヤで表示しているメニュー操作や、電源のオン／オフなどをテレビのリモコンから操作することができる。
【００３４】
図２は、図１に示した機器操作システムの構成例を説明するためのブロック図である。図中、レコーダ１０とＴＶ２０とがＨＤＭＩケーブル４０を介して接続され、ＴＶ２０と携帯端末５０とが無線ＬＡＮ（ＷｉＦｉ）を介して接続されている。また、携帯端末５０は、外部のサーバ装置６０とネットワーク７０を介して接続され、このサーバ装置６０により所謂クラウドコンピューティングシステムが構成される。
【００３５】
ＨＤＭＩケーブル４０は、デジタル信号である映像・音声ストリームを差動方式で伝送するＴＭＤＳ（Transition Minimized Differential Signaling）ライン４１と、機器間で共通の制御信号（ＣＥＣメッセージ）を伝送する双方向バスであるＣＥＣライン４２と、イーサネット信号の双方向通信を行うＨＥＣライン４３とを含んでいる。またこの他に、ＨＤＭＩケーブル４０には、ＥＤＩＤ（Extended Display Identification Data）の送信や、ＨＤＣＰ（High-bandwidth Digital Content Protection system）認証等に利用されるＩ２Ｃラインが含まれる。
【００３６】
レコーダ１０は、ＨＤＭＩトランスミッタ１１、メインマイコン１２、フロントマイコン１３、ＣＥＣＩ／Ｆ１４、通信Ｉ／Ｆ１５、リモコン受光部１６、ＨＤＭＩコネクタ１７、ＬＡＮＩ／Ｆ１８、及び記憶部１９を備えている。
【００３７】
ＨＤＭＩトランスミッタ１１は、ＨＤＭＩコネクタ１７を介してＨＤＭＩケーブル４０内のＴＭＤＳライン４１と接続され、例えばＢＤやＤＶＤなどの記録メディアに記録されている映像データと音声データとを読み出し、音声信号が映像信号のブランキング期間に挿入されたＨＤＭＩ形式のストリームに変換する。そして、変換したストリームをＴＭＤＳライン４１によってＴＶ２０へ伝送する。また、メインマイコン１２は、装置全体を制御するメインＣＰＵであって、ＨＤＭＩコントローラを含み、ＨＤＭＩトランスミッタ１１及びＬＡＮＩ／Ｆ１８の動作を制御する。
【００３８】
また、ＣＥＣＩ／Ｆ１４は、ＨＤＭＩコネクタ１７を介してＨＤＭＩケーブル４０内のＣＥＣライン４２と接続され、ＴＶ２０との間でＣＥＣメッセージの双方向通信を可能とする。ＣＥＣＩ／Ｆ１４の動作は、ＣＥＣコントローラを含むフロントマイコン１３により制御され、ＣＥＣメッセージによってＨＤＭＩ接続された機器を制御することができる。ＣＥＣの場合、ＨＤＭＩ接続された各機器の論理アドレス（機器の種別）と物理アドレス（機器の位置）が取得されるため、これらの論理アドレスと物理アドレスを指定することで所望の機器にＣＥＣメッセージを送信することができる。
【００３９】
また、フロントマイコン１３は、低電力で動作し、常にＣＥＣライン４２から転送されてくるＣＥＣメッセージを監視する。フロントマイコン１３は、サブＣＰＵであって、図示しないリモコン装置からのリモコン信号を受信するリモコン受光部１６を制御している。そして装置のスタンバイモードなどにおいてメインマイコン１２の電源がオフされているときでも、フロントマイコン１３が動作し、ＣＥＣメッセージの送受信とリモコン信号の受信とが可能な状態で維持している。
【００４０】
また、通信Ｉ／Ｆ１５は、ＨＤＭＩ以外で外部との通信を行うためのもので、例えば、ＩＥＥＥ１３９４や、ＬＡＮ、ＰＬＣ、無線通信、光通信などの通信手段によりＴＶ２０と接続することもできる。また、ＬＡＮＩ／Ｆ１８は、ＨＤＭＩコネクタ１７を介してＨＤＭＩケーブル４０内のＨＥＣライン４３と接続され、ＴＶ２０との間でイーサネット信号の双方向通信を可能とする。このＬＡＮＩ／Ｆ１８は、ＨＤＭＩトランスミッタ１１に内蔵されていてもよい。
【００４１】
また、記憶部１９は、ＨＤＭＩにおける論理アドレス、物理アドレス等を記憶するＥＥＰＲＯＭ（Electrically Erasable and Programmable Read Only Memory）などの不揮発性メモリである。記憶部１９は、フロントマイコン１３あるいはメインマイコン１２により必要に応じてアクセスされ、データの読み出しや書き込みが実行される。なお、記憶部１９は、ＥＥＰＲＯＭに限定されず、例えば、ＨＤ（ハードディスク）や、フラッシュメモリなどであってもよい。
【００４２】
ＴＶ２０は、メインマイコン２１、ＨＤＭＩレシーバ２２、モニターマイコン２３、ＣＥＣＩ／Ｆ２４、通信Ｉ／Ｆ２５、リモコン受光部２６、ＨＤＭＩコネクタ２７、ＬＡＮＩ／Ｆ２８、記憶部２９、及び表示部３０を備えている。なお、チューナの記載は省略しているものとする。
【００４３】
ＨＤＭＩレシーバ２２は、ＨＤＭＩコネクタ２７を介してＨＤＭＩケーブル４０内のＴＭＤＳライン４１と接続され、レコーダ１０から転送されたストリームを受信する。このＨＤＭＩレシーバ２２はメインマイコン２１に内蔵されていてもよい。また、メインマイコン２１は、装置全体を制御するメインＣＰＵであって、ＨＤＭＩコントローラを含み、ＨＤＭＩレシーバ２２及びＬＡＮＩ／Ｆ２８の動作を制御する。
【００４４】
ＣＥＣＩ／Ｆ２４は、ＨＤＭＩコネクタ２７を介してＨＤＭＩケーブル４０内のＣＥＣライン４２と接続され、レコーダ１０との間でＣＥＣメッセージの双方向通信を可能とする。ＣＥＣＩ／Ｆ２４の動作は、ＣＥＣコントローラを含むモニターマイコン２３により制御され、ＣＥＣメッセージによってＨＤＭＩ接続された機器を制御することができる。
【００４５】
また、モニターマイコン２３は、低電力で動作し、常にＣＥＣライン４２から転送されてくるＣＥＣメッセージを監視する。モニターマイコン２３は、サブＣＰＵであって、リモコン装置Ｒからのリモコン信号を受信するリモコン受光部２６を制御している。そして装置のスタンバイモードなどにおいてメインマイコン２１の電源がオフされているときでも、モニターマイコン２３が動作し、ＣＥＣメッセージの送受信とリモコン信号の受信とが可能な状態で維持している。
【００４６】
また、通信Ｉ／Ｆ２５は、ＨＤＭＩ以外で外部との通信を行うためのもので、例えば、ＩＥＥＥ１３９４や、ＬＡＮ、ＰＬＣ、無線通信、光通信などの通信手段によりレコーダ１０と接続することもできる。本例では、通信Ｉ／Ｆ２５を介して携帯端末５０と相互に接続される。また、ＬＡＮＩ／Ｆ２８は、ＨＤＭＩコネクタ２７を介してＨＤＭＩケーブル４０内のＨＥＣライン４３と接続され、レコーダ１０との間でイーサネット信号の双方向通信を可能とする。このＬＡＮＩ／Ｆ２８は、ＨＤＭＩレシーバ２２に内蔵されていてもよい。
【００４７】
また、記憶部２９は、ＨＤＭＩにおける論理アドレス、物理アドレス、各種のデータテーブル等を記憶するＥＥＰＲＯＭなどの不揮発性メモリである。記憶部２９は、モニターマイコン２３あるいはメインマイコン２１により必要に応じてアクセスされ、データの読み出しや書き込みが実行される。なお、記憶部２９は、ＥＥＰＲＯＭに限定されず、例えば、ＨＤ（ハードディスク）や、フラッシュメモリなどであってもよい。
【００４８】
また、表示部３０は、ＬＣＤ（Liquid Crystal Display）などのディスプレイで構成される。ＴＶ２０では、ＨＤＭＩレシーバ２２によりストリームの映像／音声が分離され、必要に応じて所定の映像信号処理及び音声信号処理を行って、表示部３０に映像表示を行うと共に、図示しないスピーカから音声出力する。
【００４９】
携帯端末５０は、通信Ｉ／Ｆ５１、制御部５２、メモリ５３、及び表示部５４で構成される。この携帯端末５０は、例えば、スマートフォンであって、タッチパネル機能を搭載する。また、携帯端末５０は、無線ＬＡＮ機能を備え、ＴＶ２０と双方向通信可能に接続される。また、携帯端末５０は、サーバ装置６０とネットワーク７０を介して接続され、サーバ装置６０に格納されている各種の情報を取得することができる。
【００５０】
このように、本発明の機器操作システムは、１以上の周辺機器が接続された表示機器と、表示機器及び１以上の周辺機器からなる複数の機器を選択的に操作可能な操作機器とが接続されて構成される。図２の例では、レコーダ１０が周辺機器、ＴＶ２０が表示機器、携帯端末５０が操作機器となる。
【００５１】
本発明の主たる目的は、スマートフォンなどを操作機器として利用し、簡単な処理で、映像の視認性を損なうことなく、表示機器及び周辺機器の操作性を向上させるようにすることにある。このための構成として、ＴＶ２０は、入力切替操作時に指定された操作対象機器の種別を示す機器種別情報または操作対象機器の操作パネルパターンに割り当てられたパターン識別情報を携帯端末５０に通知する通知手段を備える。この通知手段は、メインマイコン２１によって実現される。また、携帯端末５０は、ＴＶ２０から通知された操作対象機器の機器種別情報またはパターン識別情報に基づいて、操作対象機器の操作パネルパターンを取得する操作パネルパターン取得手段と、取得した操作パネルパターンをタッチ操作可能に表示する操作パネルパターン表示手段とを備える。操作パネルパターン取得手段は制御部５２によって実現され、操作パネルパターン表示手段は表示部５４によって実現される。
【００５２】
上記の操作パネルパターンは、図３に示すように、周辺機器の種別（レコーダ、プレーヤなど）毎に例えば４つの操作パネルパターン５０１〜５０４で構成される。図３（Ａ）の操作パネルパターン５０１は、周辺機器がレコーダの場合の例であり、図３（Ｂ）の操作パネルパターン５０２は、周辺機器がＨＤＤ，内蔵ＢＤ（Blu-ray Disk）の場合の例である。また、図３（Ｃ）の操作パネルパターン５０３は、周辺機器がプレーヤあるいはＶＯＤ（Video On Demand）／ＤＬＮＡ（Digital Living Network Alliance）などのネットワーク配信を利用する場合の例であり、図３（Ｄ）の操作パネルパターン５０４は、周辺機器が携帯電話機の場合の例である。これら４つの操作パネルパターン５０１〜５０４には、例えば、Ａ〜Ｄのパターン識別情報が割り当てられており、携帯端末５０あるいはサーバ装置６０に予め格納されている。
【００５３】
図４は、本発明の機器操作システムによる動作例を説明するための図である。本例のＴＶ２０は、ＢＤ内蔵型の液晶ＴＶであり、５つの外部入力端子（入力１〜５）を備えている。入力１，３，４がＨＤＭＩ入力、入力２がＵＳＢ入力、入力５がＬＡＮ（ネットワーク）入力であり、入力１にはレコーダ１０ａ、入力２にはＵＳＢ−ＨＤＤ１０ｂ、入力３にはプレーヤ１０ｃ、入力４には携帯電話機１０ｄ、入力５にはＶＯＤ／ＤＬＮＡ（外部サーバ）１０ｅがそれぞれ接続されている。
【００５４】
携帯端末５０は、無線ＬＡＮ（ＩＰコントロール）を介してＴＶ２０と双方向通信可能に接続され、携帯端末５０の画面上には、ＴＶ２０の操作パネルパターン５０５が表示されている。ユーザがこの操作パネルパターン５０５の所望のチャンネル番号を押下すると、ＴＶ２０によりチャンネル選局が実行され、地上デジタル放送の番組コンテンツを視聴することができる。なお、ＴＶ２０の操作パネルパターン５０５には、パターン識別情報として、“Ｅ”が割り当てられている。
【００５５】
上記において、ユーザがＴＶ２０に接続されている周辺機器を操作する場合、まず、携帯端末５０の入力切替タブ５００ａを押下する（Ｓ１）。ＴＶ２０は、これを受けて、ＴＶ２０の各入力端子に接続されている周辺機器の機器名を含む入力切替画面情報を携帯端末５０に送信し、携帯端末５０は、ＴＶ２０から受信した入力切替画面情報を表示する（Ｓ２）。ここで、ＴＶ２０は、ＴＶ２０の入力端子に周辺機器が接続されたときに、周辺機器の機器情報を取得し、取得した機器情報と入力端子とを対応付けて登録する。この機器情報には、周辺機器の機器名などが含まれる。本例の場合、入力１，３，４はＨＤＭＩ接続であるため、ＣＥＣメッセージを利用することで機器情報を取得することができる。また、入力２のＵＳＢ接続、入力５のネットワーク接続の場合についても、公知の方法により機器情報を取得することができる。
【００５６】
ＴＶ２０は、このようにして取得した周辺機器の機器名と入力端子（本例では、入力１〜５）を対応させて、上記の入力切替画面情報を生成する。図４の例では、レコーダ１０ａの機器名が「ａａａａ」、ＵＳＢ−ＨＤＤ１０ｂの機器名が「ｂｂｂｂ」、プレーヤ１０ｃの機器名が「ｃｃｃｃ」、携帯電話機１０ｄの機器名が「ｄｄｄｄ」、ＶＯＤ／ＤＬＮＡ１０ｅの機器名が「ｅｅｅｅ」で示され、入力１，２，３，４，５にそれぞれ対応する。なお、テレビ及び内蔵ＢＤ（機器名「ｘｘｘｘ」）は外部入力ではないが、これらテレビ及び内蔵ＢＤもこの入力切替画面情報に含まれ、入力切替の対象（すなわち、操作対象）とすることができる。
【００５７】
次に、ユーザは、携帯端末５０の入力切替画面上において、カーソルを移動させ、所望の機器が接続されている入力を選択する。なお、携帯端末５０は、ＴＶ２０から受信した入力切替画面情報を表示させる際に、周辺機器が接続されていない入力についてはグレーアウト表示させ、選択できないようにしている。本例の場合、レコーダ１０ａが接続されている入力１が選択され、入力１の選択信号がＴＶ２０に送信される。ＴＶ２０は、選択信号に応じた機器種別情報またはパターン識別情報を含む表示コマンドを携帯端末５０に送信する。そして、携帯端末５０は、表示コマンドに含まれる機器種別情報またはパターン識別情報に基づいて、レコーダ１０ａの操作パネルパターン５０１をメモリ５３あるいはサーバ装置６０から取得し、取得した操作パネルパターン５０１を表示部５４に表示させる（Ｓ３）。この際、携帯端末５０は、入力切替タブ５００ａからリンク操作タブ５００ｂに自動的に切り替えて、表示部５４の画面を変更する。
【００５８】
なお、ＴＶ２０に対する入力切替操作は、上記のように携帯端末５０から行うようにしてもよいし、リモコンＲを用いて行うようにしてもよい。リモコンＲから入力切替操作を行う場合でも、上記と同様に、ＴＶ２０から携帯端末５０に表示コマンドが送信され、携帯端末５０は、表示コマンドに含まれる機器種別情報またはパターン識別情報に基づいて、レコーダ１０ａの操作パネルパターン５０１を表示部５４に表示させる。
【００５９】
そして、携帯端末５０は、表示部５４に表示されたレコーダ１０ａの操作パネルパターン５０１のいずれかの操作ボタンが押下された場合、その操作ボタンに応じた操作コマンドをＴＶ２０に送信する。ＴＶ２０は、携帯端末５０から受信した操作コマンドを、レコーダ１０ａの操作を制御するための機器制御用コマンド（例えば、ＣＥＣメッセージ）に変換し、変換した機器制御用コマンドをレコーダ１０ａに送信する。このようして、携帯端末５０からレコーダ１０ａを操作することができる。なお、ＴＶ２０、内蔵ＢＤ、レコーダ１０ａ以外の周辺機器について操作する場合も同様の手順で行うことができる。
【００６０】
（第１の実施形態）
本実施形態では、ＴＶ２０から携帯端末５０に操作対象機器の機器種別情報が通知される場合について説明する。図５は、ＴＶ２０及び携帯端末５０の要部構成例を機能的に示したブロック図である。また、図６は、ＴＶ２０及び携帯端末５０にそれぞれ格納されているデータテーブルの一例を示す図である。
【００６１】
図５において、ＴＶ２０は、メインマイコン２１、通信Ｉ／Ｆ２５、及び記憶部２９を備えており、メインマイコン２１は、本発明の通知手段２１ａとして機能する。また、記憶部２９には、図６（Ａ）に示す入力／機器種別対応テーブル２９ａが格納されている。この入力／機器種別対応テーブル２９ａは、ＴＶ２０の入力端子（入力１〜５）に周辺機器が接続されたときに、周辺機器の種別を示す機器種別情報を取得し、取得した機器種別情報と入力端子とを対応付けて登録したものである。例えば、入力１，３，４のようにＨＤＭＩ接続の場合には、ＣＥＣメッセージを利用することで、機器の種別を示す論理アドレスから機器種別情報を取得することができる。また、入力２のＵＳＢ接続や、入力５のネットワーク接続についても、公知の方法で機器種別情報を取得することができる。なお、ＴＶと内蔵ＢＤは、外部入力ではないため、ＴＶ側で機器種別情報が予め管理されている。
【００６２】
通知手段２１ａは、携帯端末５０の入力切替操作時に選択された入力に基づいて、図６（Ａ）の入力／機器種別対応テーブル２９ａを参照し、対応する機器種別情報を含む表示コマンドを通信Ｉ／Ｆ２５を介して携帯端末５０に送信する。例えば、入力１が選択された場合には、対応する機器種別情報は「レコーダ」となり、この「レコーダ」を含む表示コマンドが送信される。
【００６３】
携帯端末５０は、ＴＶ２０からの表示コマンドに従って、レコーダ１０ａの操作パネルパターン５０１を表示する。この処理について具体的に説明する。図５において、携帯端末５０は、制御部５２、メモリ５３、及び表示部５４を備え、制御部５２は、本発明の操作パネルパターン取得手段５２ａとして機能する。メモリ５３は、例えば、不揮発性メモリなどであって、本発明の操作パネルパターン記憶手段に相当し、機器種別／操作パネルパターン対応テーブル５３ａと操作パネルパターン５３ｂが格納されている。機器種別／操作パネルパターン対応テーブル５３ａは、図６（Ｂ）に示すように、複数の操作対象機器の機器種別情報とパターン識別情報とを対応付けたものである。また、操作パネルパターン５３ｂは、前述の図３，図４に示したように、パターン識別情報Ａ〜Ｅが割り当てられた操作パネルパターン５０１〜５０５である。なお、この操作パネルパターン５３ｂをサーバ装置６０から取得する場合には、携帯端末５０に操作パネルパターン５３ｂを記憶しておかなくてもよい。
【００６４】
操作パネルパターン取得手段５２ａは、ＴＶ２０から通知された操作対象機器の機器種別情報に基づいて、機器種別／操作パネルパターン対応テーブル５３ａを参照することにより、操作対象機器のパターン識別情報に応じた操作パネルパターンをメモリ５３から取得する。本例の場合、機器種別情報として、「レコーダ」が通知されるため、図６（Ｂ）の機器種別／操作パネルパターン対応テーブル５３ａから、パターン識別情報として、「Ａ」が特定される。これより、操作パネルパターン取得手段５２ａは、メモリ５３から、パターン識別情報「Ａ」が割り当てられた操作パネルパターン５０１を取得し、この操作パネルパターン５０１を表示部５４に表示する。
【００６５】
また、上記において、機器種別情報とパターン識別情報を同じにしてもよい。この場合、機器種別／操作パネルパターン対応テーブル５３ａを不要にすることができる。すなわち、操作パネルパターン５０１〜５０５に機器種別情報（レコーダ，プレーヤなど）が割り当てられているため、ＴＶ２０から機器種別情報として、例えば「レコーダ」が通知されると、操作パネルパターン取得手段５２ａは、機器種別情報「レコーダ」が割り当てられた操作パネルパターン５０１をメモリ５３から取得し、この操作パネルパターン５０１を表示部５４に表示する。
【００６６】
（第２の実施形態）
本実施形態では、ＴＶ２０から携帯端末５０に操作対象機器のパターン識別情報が通知される場合について説明する。図７は、ＴＶ２０及び携帯端末５０の要部構成例を機能的に示したブロック図である。また、図８は、ＴＶ２０に格納されているデータテーブルの一例を示す図である。
【００６７】
図７において、ＴＶ２０は、メインマイコン２１、通信Ｉ／Ｆ２５、及び記憶部２９を備えており、メインマイコン２１は、本発明の通知手段２１ａとして機能する。また、記憶部２９には、図８に示す機器種別／操作パネルパターン対応テーブル２９ｂが格納されている。この機器種別／操作パネルパターン対応テーブル２９ｂは、複数の操作対象機器の機器種別情報とパターン識別情報とを対応付けたものである。すなわち、ＴＶ２０の入力端子に周辺機器が接続されたときに、周辺機器の種別を示す機器種別情報を取得し、機器種別情報、入力端子（入力１〜５）、及びパターン識別情報をそれぞれ対応付けて登録したものである。
【００６８】
通知手段２１ａは、携帯端末５０の入力切替操作時に選択された入力に基づいて、図８の機器種別／操作パネルパターン対応テーブル２９ｂを参照し、対応するパターン識別情報を含む表示コマンドを通信Ｉ／Ｆ２５を介して携帯端末５０に送信する。例えば、入力１が選択された場合には、対応する機器種別情報は「レコーダ」となり、この「レコーダ」に対応するパターン識別情報は「Ａ」であるため、このパターン識別情報「Ａ」を含む表示コマンドが送信される。
【００６９】
携帯端末５０は、ＴＶ２０からの表示コマンドに従って、レコーダ１０ａの操作パネルパターン５０１を表示する。この処理について具体的に説明する。図７において、携帯端末５０は、制御部５２、メモリ５３、及び表示部５４を備え、制御部５２は、本発明の操作パネルパターン取得手段５２ａとして機能する。メモリ５３には、操作パネルパターン５３ｂが格納されている。操作パネルパターン５３ｂは、前述の図３，図４に示したように、パターン識別情報Ａ〜Ｅが割り当てられた操作パネルパターン５０１〜５０５である。
【００７０】
操作パネルパターン取得手段５２ａは、ＴＶ２０から通知された操作対象機器のパターン識別情報に応じた操作パネルパターンをメモリ５３から取得する。本例の場合、パターン識別情報として、「Ａ」が通知されるため、操作パネルパターン取得手段５２ａは、メモリ５３から、パターン識別情報「Ａ」が割り当てられた操作パネルパターン５０１を取得し、この操作パネルパターン５０１を表示部５４に表示する。
【００７１】
前述の第１の実施形態では、携帯端末５０側にもデータテーブルを備えていたが、本実施形態の場合、携帯端末５０側にデータテーブルを備えておく必要がない。すなわち、ＴＶ２０から、操作パネルパターンに割り当てられたパターン識別情報が通知されるため、携帯端末５０では、ＴＶ２０から通知されたパターン識別情報に応じた操作パネルパターンを表示させるだけでよい。なお、この操作パネルパターン５３ｂをサーバ装置６０から取得する場合には、第１の実施形態と同様に、携帯端末５０に操作パネルパターン５３ｂを記憶しておかなくてもよい。
【００７２】
ここで、ネットワークを介して操作パネルパターンを取得する方法について説明する。図９は、本発明に係る機器操作システムにおいて、サーバ装置に操作パネルパターンを保存した場合の構成例を示す図である。
【００７３】
図９に示すように、ネットワーク７０上のサーバ装置６０に操作パネルパターン５３ｂを保持しておけば、操作機器である携帯端末５０のメモリに保存されていない操作パネルパターンをサーバ装置６０から取得することができる。すなわち、携帯端末５０は、ＴＶ２０から通知された機器種別情報を基に特定したパターン識別情報に基づいて、あるいはＴＶから通知されたパターン識別情報に基づいて、パターン識別情報に該当する操作パネルパターンが携帯端末のメモリ内に存在すればその操作パネルパターンを使用し、存在しなければサーバ装置６０からダウンロードすることができる。
【００７４】
また、サーバ装置６０を用いることにより、操作パネルパターンのカスタマイズや更新を容易に行うことが可能となる。例えば、上述のレコーダ１０ａ、ＵＳＢ−ＨＤＤ１０ｂ，プレーヤ１０ｃ、携帯電話機１０ｄなどの操作対象機器のメーカ、あるいは、ＶＯＤ／ＤＬＮＡ１０ｅなどのネットワークを介したサービス提供側が独自の操作パネルパターン５０５を提供したい場合、操作パネルパターンのデータを専用のサーバ装置６０に一意の識別情報（ＩＤ）と関連づけてアップロードすると共に、このデータを特定する一意のパターン識別情報（ＩＤ）を固有の機器種別情報と共にＴＶ２０に通知する。この場合、レコーダ１０ａ、ＵＳＢ−ＨＤＤ１０ｂ，プレーヤ１０ｃ、携帯電話機１０ｄなどには予め、一意のパターン識別情報と固有の機器種別情報をＴＶ２０に通知する前に保有している必要がある。
【００７５】
通知手段としては、レコーダ、プレーヤ、携帯電話機などの場合は、ＨＤＭＩのＣＥＣ情報として、また、ＶＯＤ、ＤＬＮＡなどの場合は、これらのサービス接続時にパケットデータとしてＴＶ２０に送信することができる。ＴＶ２０は、このパターン識別情報（ＩＤ）と固有の機器種別情報を取得した場合、先述の機器種別／操作パネルパターン対応テーブル２９ｂに、このパターン識別情報（ＩＤ）と固有の機器種別情報を追加または更新する。固有の機器種別情報としては、その機器の型番や愛称であってもよく、ＶＯＤなどの場合はサービスの内容であってもよい。
【００７６】
そして、ＴＶ２０は、携帯端末５０の入力切替操作時に選択された入力に基づいて、機器種別／操作パネルパターン対応テーブル２９ｂを参照し、対応するパターン識別情報を含む表示コマンドを携帯端末５０に送信する。携帯端末５０は、このパターン識別情報に対応する操作パネルパターンのデータが登録されているかどうかをサーバ装置に問い合わせ、対応する操作パネルパターンが見つかれば、その操作パネルパターンのデータをダウンロードして表示する。この構成では、操作パネルパターンを操作対象機器や操作機器に予め内蔵する必要がない。また、サーバ装置６０に保持されている操作パネルパターンを変更したり、あるいは、新たな操作対象機器の操作パネルパターンをサーバ装置６０に登録したりすることもできる。そして、操作パネルパターンを変更する場合には、既にサーバ装置６０に保持されている変更対象のパターン識別情報に対応する操作パネルパターンのデータのみを更新すればよく、また、新たに登録する場合には、サーバ装置６０に一意の識別情報（ＩＤ）と関連づけて操作パネルパターンのデータをアップロードすると共に、このパターン識別情報（ＩＤ）を固有の機器種別情報と共にＴＶ２０に追加すればよい。なお、パターン識別情報と機器種別情報とを携帯端末５０で保有するようにしてもよい。
【００７７】
図１０は、本発明の第２の実施形態に係る機器操作システムによる機器操作方法の一例を説明するためのフロー図である。本例は、図７，８の構成に基づいて説明する。まず、携帯端末５０は、画面上の入力切替タブが押下されたか否かを判定し（ステップＳ１１）、入力切替タブが押下されたと判定した場合（ＹＥＳの場合）、ＴＶ２０に入力切替画面情報を要求する。また、ステップＳ１１において、入力切替タブが押下されていないと判定した場合（ＮＯの場合）、ステップＳ１１で待機状態に移行する。
【００７８】
次に、ＴＶ２０は、携帯端末５０からの要求に応じて、入力切替画面情報を生成し、生成した入力切替画面情報を携帯端末５０に送信する（ステップＳ１２）。携帯端末５０は、ＴＶ２０から受信した入力切替画面情報を表示部５４に表示し（ステップＳ１３）、機器選択待ち状態となる。画面上でいずれかの機器が選択されたと判断した場合、画面上で選択された操作対象機器に入力を切り替えるための入力切替コマンドをＴＶ２０に送信する（ステップＳ１４）。ＴＶ２０は、携帯端末５０から受信した入力切替コマンドで指定された操作対象機器に入力を切り替え（ステップＳ１５）、入力切替コマンドで指定された操作対象機器の種別から、図８の機器種別／操作パネルパターン対応テーブル２９ｂを参照し、当該操作対象機器のパターン識別情報を特定する（ステップＳ１６）。そして、ＴＶ２０は、ステップＳ１６で特定したパターン識別情報を含む表示コマンドを携帯端末５０に送信する（ステップＳ１７）。
【００７９】
次に、携帯端末５０は、ＴＶ２０から受信した表示コマンドに含まれるパターン識別情報に基づいて、メモリ５３あるいはサーバ装置６０から操作パネルパターンを取得し（ステップＳ１８）、取得した操作パネルパターンをタッチ操作可能に表示部５４に表示する（ステップＳ１９）。携帯端末５０は、表示部５４に表示された操作パネルパターンのいずれかの操作ボタンが押下されたか否かを判定し（ステップＳ２０）、操作ボタンが押下されたと判定した場合（ＹＥＳの場合）、押下された操作ボタンに応じた操作コマンドをＴＶ２０に送信する（ステップＳ２１）。また、操作ボタンが押下されていないと判定した場合（ＮＯの場合）、ステップＳ２０で待機状態に移行する。
【００８０】
次に、ＴＶ２０は、携帯端末５０から受信した操作コマンドを機器制御用コマンド（例えば、ＣＥＣメッセージ）に変換し（ステップＳ２２）、変換した機器制御用コマンドを入力切替先の機器（操作対象機器）に送信する（ステップＳ２３）。このようにして、携帯端末５０からＴＶ２０に接続された操作対象機器を操作することができる。
【００８１】
図１１は、本発明の他の実施形態に係る機器操作システムの動作例を説明するための図である。また、図１２は、ＴＶ画面上に表示される周辺機器の操作パネルの一例を示す図である。図１２（Ａ）はレコーダ１０ａの操作パネル、図１２（Ｂ）はプレーヤ１０ｃの操作パネル、図１２（Ｃ）は携帯電話機１０ｄの操作パネルを示す。携帯端末５０は、携帯端末５０に表示された周辺機器（本例ではレコーダ１０ａ）の操作パネルパターン５０１に含まれる所定の操作ボタン（本例では○○リンクボタン５０１ａ）が押下された場合、ＴＶ２０に対してレコーダ１０ａの操作パネルを表示するように指示すると共に、その旨を通知するためのコーション５０１ｂを表示する。
【００８２】
ＴＶ２０は、携帯端末５０からの指示に従って、図１２（Ａ）に示すレコーダ１０ａの操作パネルを操作パネル表示部２０１に表示し、その旨を携帯端末５０に通知する。なお、ＴＶ２０に表示される周辺機器の操作パネルは、ＴＶ２０が各周辺機器と通信することにより生成されるものであり、例えば、前述の特許文献１に記載の方法により生成することができる。
【００８３】
そして、携帯端末５０は、ＴＶ２０からの通知により、レコーダ１０ａの操作パネルがＴＶ２０に表示されたことを検知すると、コーション５０１ｂを消去して、ＴＶ２０に接続された全ての周辺機器に共通の操作パネルパターン５０７を表示する。この共通の操作パネルパターン５０７は、少なくともカーソルキー及び決定キーを含んで構成されている。
【００８４】
ここで、図１２に示すように、ＴＶ２０に表示される周辺機器の操作パネルは、携帯端末５０に表示される周辺機器の操作パネルパターンとは異なっている。上記のように、ＴＶ２０に表示される周辺機器の操作パネルは、ＴＶ２０が各周辺機器と通信することにより生成されるため、携帯端末５０の操作パネルパターンに比べて、より操作ボタンの数が多くなっている。このため、携帯端末５０の操作パネルパターンから周辺機器を操作できないケースが起こり得る。このような事態を回避するために、全ての周辺機器に共通の操作パネルパターン５０７を表示させて、ＴＶ２０の画面上にどのような操作パネルが表示されても操作できるようにする。具体的には、少なくともカーソルキー及び決定キーを有する操作パネルパターンであれば、全ての操作パネルに対応できるため望ましい。
【００８５】
図１１で示す動作例のフローは次の通りとなる。
図１１において、携帯端末５０には、レコーダ１０ａの操作パネルパターン５０１が表示されている。まず、ユーザが携帯端末５０の○○リンクボタン５０１ａを押下すると（ステップＳ３１）、携帯端末５０は、ＴＶ２０に対して、レコーダ１０ａの操作パネルを表示するように指示する表示コマンドを送信すると共に、レコーダ１０ａの操作パネルをＴＶ２０に表示することを通知するためのコーション５０１ｂを表示させる（ステップＳ３２）。
【００８６】
上記の表示コマンドを受けたＴＶ２０は、レコーダ１０ａの操作パネル（図１２（Ａ）を参照）を操作パネル表示部２０１に表示させ、その旨を携帯端末５０に通知する（ステップＳ３３）。そして、携帯端末５０は、ＴＶ２０からの通知により、レコーダ１０ａの操作パネルがＴＶ２０に表示されたことを検知すると、コーション５０１ｂを消去して、ＴＶ２０に接続された全ての周辺機器に共通の操作パネルパターン５０７を表示する（ステップＳ３４）。
【００８７】
図１３は、本発明の他の実施形態に係る機器操作システムの動作例を説明するための図である。本実施形態では、ＴＶ２０と複数の携帯端末５０ａ，５０ｂが接続され、携帯端末５０ｂの画面には、レコーダ１０ａの操作パネルパターン５０１が表示されている。ＴＶ２０及びＴＶ２０に接続されたレコーダ１０ａは、携帯端末５０ａ，５０ｂ毎に録画あるいは再生に係るユーザ設定値（例えば、ユーザａ用設定値、ユーザｂ用設定値、…）を記憶して有している。このユーザ設定値は、例えば、録画あるいは再生を行う際の画質及び音質に係る設定値などであり、携帯端末５０ａ，５０ｂそれぞれの機器特定情報と対応付けされている。この機器特定情報とは、例えば、携帯端末固有の機器ＩＤやログインＩＤなどであり、携帯端末や使用ユーザ等を識別できる情報であればよい。
【００８８】
ここで、携帯端末５０ｂにより入力切替操作が行われ、操作対象機器が指定されたときに、この操作対象機器は、携帯端末５０ｂから送信される携帯端末５０ｂの機器特定情報に応じたユーザ設定値を選択し、選択したユーザ設定値を自動的に設定する。本例の場合、ＴＶ２０あるいはレコーダ１０ａが操作対象機器となるため、ＴＶ２０あるいはレコーダ１０ａが、例えば、録画あるいは再生を行う際の画質及び音質に係るユーザ設定値を設定する。
【００８９】
上記のユーザ設定値としては、画質及び音質に係る設定値以外であってもよい。例えば、電子番組表を表示するときのジャンルの色をユーザ（携帯端末）毎に設定してもよい。また、録画コンテンツをユーザ（携帯端末）毎に管理し、あるユーザが録画リストを携帯端末に表示する際に、そのユーザが録画したコンテンツを優先的に上位に表示させたり、色を付けて表示するなどの設定を行ってもよい。また、番組コンテンツの録画時に録画画質をユーザ（携帯端末）毎に設定してもよい。さらには、電子番組表の好みのジャンル情報やタレント名、番組予約時の録画先の録画機器名やディスク名、録画機器やディスクの再生履歴、録画予約済みの番組情報、視聴済番組情報などの情報のほか、操作機器で音声認識を行う際の個人別パラメータなどをユーザ設定値としてもよい。
【００９０】
図１４は、本発明の他の実施形態に係る機器操作システムの動作例を説明するための図である。本実施形態では、ＴＶ２０と複数の携帯端末５０ａ，５０ｂが接続され、携帯端末５０ｂの画面には、レコーダ１０ａの操作パネルパターン５０１が表示されている。各携帯端末５０ａ，５０ｂは、録画あるいは再生に係るユーザ設定値（例えば、ユーザ設定値ａ，ユーザ設定値ｂ，…）を記憶して有している。そして、例えば、携帯端末５０ｂにより入力切替操作が行われ、操作対象機器が指定されたときに、携帯端末５０ｂが操作対象機器にユーザ設定値ｂを送信し、操作対象機器は、携帯端末５０ｂから送信されたユーザ設定値ｂを自動的に設定する。本例の場合も、図１３の例と同様に、ＴＶ２０あるいはレコーダ１０ａが操作対象機器となる。
【００９１】
これにより、図１３の例と同様に、ユーザ毎の各種設定を自動的に行い、ユーザ独自にカスタマイズすることができる。なお、本例の場合、ユーザ設定値を携帯端末５０ａ，５０ｂ側に持たせる構成となるが、ＴＶ２０あるいはレコーダ１０ａ側で設定したユーザ設定値を携帯端末５０ａ，５０ｂに送信（フィードバック）し、携帯端末５０ａ，５０ｂに保存するようにしてもよい。
【００９２】
図１５は、本発明の他の実施形態に係る機器操作システムの動作例を説明するための図である。本例の携帯端末５０は、電話機能を有している。携帯端末５０は、周辺機器（本例ではレコーダ１０）に保存されている番組コンテンツを、ＴＶ２０で表示再生しているときに、携帯端末５０に着信があった場合、携帯端末５０は、操作パネルパターン５０１上に着信中を示すメッセージ５０１ｃを表示すると共に、ＴＶ２０に着信中であることを通知する（ステップＳ４１）。ＴＶ２０は、携帯端末５０からの着信中通知に応じて、省電力モードに移行すると共に（ステップＳ４２）、レコーダ１０に再生の一時停止要求を送信する（ステップＳ４３）。ここでいう省電力モードとは、例えば、ＴＶ２０の音量及びバックライト光源の光量を低減するモードである。そして、携帯端末５０による通話が終了すると、ＴＶ２０は、上記の省電力モードを元の通常視聴モードに戻し、レコーダ１０の再生を再開させる。
【００９３】
図１６は、本発明の他の実施形態に係る機器操作システムの動作例を説明するための図である。携帯端末５０の画面上には、レコーダ１０の操作パネルパターン５０１が表示されている。周辺機器（本例ではレコーダ１０）に保存されている番組コンテンツを、ＴＶ２０で表示再生しているときに、携帯端末５０に表示された操作パネルパターン５０１の一時停止ボタン５０１ｄが押下されると、携帯端末５０は、ＴＶ２０に一時停止要求を送信すると共に（ステップＳ５１）、操作パネルパターン５０１に代えて検索画面５０８を表示させる（ステップＳ５２）。
【００９４】
ＴＶ２０は、携帯端末５０からの一時停止要求に応じて、省電力モードに移行すると共に（ステップＳ５３）、レコーダ１０に再生の一時停止要求を送信する（ステップＳ５４）。そして、ユーザが検索画面５０８による検索を完了し、戻るボタン５０８ａを押下すると、操作パネルパターン５０１に画面が切り替わる（ステップＳ５５）。ＴＶ３０は、携帯端末５０における検索画面５０８から操作パネルパターン５０１への切り替えを検出すると、省電力モードを解除すると共に、レコーダ１０に再生の再開要求を送信する。
【００９５】
図１７は、本発明の他の実施形態に係る機器操作システムの動作例を説明するための図である。携帯端末５０の画面上には、レコーダ１０の操作パネルパターン５０１が表示されている。周辺機器（本例ではレコーダ１０）に保存されている番組コンテンツを、ＴＶ２０で表示再生しているときに、携帯端末５０に表示された操作パネルパターン５０１の番組情報ボタン５０１ｅが押下された場合、携帯端末５０は、ＴＶ２０に番組情報要求を送信する（ステップＳ６１）。ＴＶ２０は、携帯端末５０からの番組情報要求に応じて、レコーダ１０に番組コンテンツの番組情報を要求する（ステップＳ６２）。そして、ＴＶ２０は、レコーダ１０から番組コンテンツの番組情報を取得し（ステップＳ６３）、取得した番組コンテンツの番組情報を携帯端末５０に送信する（ステップＳ６４）。
【００９６】
携帯端末５０は、ＴＶ２０から受信した番組情報５０１ｆを操作パネルパターン５０１上に表示させる（ステップＳ６５）。この番組情報５０１ｆには、番組コンテンツに係る情報として、例えば、タイトル、番組内容、再生状況（再生済み時間）などが表示される。
【００９７】
図１８は、本発明の他の実施形態に係る機器操作システムの動作例を説明するための図である。携帯端末５０の画面上には、レコーダ１０の操作パネルパターン５０１が表示されている。周辺機器（本例ではレコーダ１０）に保存されている番組コンテンツを、ＴＶ２０で表示再生しているときに、携帯端末５０に表示された操作パネルパターン５０１の停止ボタン５０１ｇが押下された場合、携帯端末５０は、ＴＶ２０に番組情報要求を送信する（ステップＳ７１）。ＴＶ２０は、携帯端末５０からの番組情報要求に応じて、レコーダ１０から表示再生していた番組コンテンツの番組情報を取得し（ステップＳ７２，ステップＳ７３）、取得した番組コンテンツの番組情報を携帯端末５０に送信する（ステップＳ７４）。
【００９８】
携帯端末５０は、ＴＶ２０から受信した番組コンテンツの番組情報に基づき、番組コンテンツの再生済み時間を保存した後に（ステップＳ７５）、ＴＶ２０に停止要求を送信する（ステップＳ７６）。この際、携帯端末５０は、再生済み時間を含む再生中断情報をメモリ５３に保存した旨を通知するためのメッセージ５０１ｈを表示する。ＴＶ２０は、携帯端末５０からの停止要求に応じて、レコーダ１０に再生の停止要求を送信する（ステップＳ７７）。
【００９９】
上記のように、番組コンテンツの再生済み時間を携帯端末５０に記憶しておくことで、次回、レコーダ１０により同じ番組コンテンツを再生する際に、携帯端末５０に記憶した再生済み時間に基づいて、番組コンテンツの途中から再生することが可能となる。
【０１００】
このように本発明によれば、スマートフォンなどを操作機器として利用する際に、操作機器の画面上に表示機器及び表示機器に接続された周辺機器の操作パネルパターンを選択的に表示させ、操作機器から複数の機器を操作することができるため、映像の視認性を損なうことなく、表示機器及び周辺機器の操作性を向上させることができる。
【０１０１】
また、操作対象機器の種別毎に予め操作パネルパターンを操作機器側に保持しておくため、複雑な機器間処理を必要とせず、操作機器から複数の操作対象機器を簡単に操作することができる。
【符号の説明】
【０１０２】
１０…レコーダ、１１…ＨＤＭＩトランスミッタ、１２，２１…メインマイコン、１３…フロントマイコン、１４，２４…ＣＥＣＩ／Ｆ、１５，２５，５１…通信Ｉ／Ｆ、１６，２６…リモコン受光部、１７，２７…ＨＤＭＩコネクタ、１８，２８…ＬＡＮＩ／Ｆ、１９，２９…記憶部、２０…ＴＶ、２１ａ…通知手段、２２…ＨＤＭＩレシーバ、２３…モニターマイコン、２９ａ…入力／機器種別対応テーブル、３０，５４…表示部、４０…ＨＤＭＩケーブル、４１…ＴＭＤＳライン、４２…ＣＥＣライン、４３…ＨＥＣライン、５０…携帯端末、５２…制御部、５２ａ…操作パネルパターン取得手段、５３…メモリ、５３ａ，２９ｂ…機器種別／操作パネルパターン対応テーブル、５３ｂ…操作パネルパターン、６０…サーバ装置、７０…ネットワーク。
【図１】
2013021672.tif 000003
【図２】
2013021672.tif 000004
【図３】
2013021672.tif 000005
【図４】
2013021672.tif 000006
【図５】
2013021672.tif 000007
【図６】
2013021672.tif 000008
【図７】
2013021672.tif 000009
【図８】
2013021672.tif 000010
【図９】
2013021672.tif 000011
【図１０】
2013021672.tif 000012
【図１１】
2013021672.tif 000013
【図１２】
2013021672.tif 000014
【図１３】
2013021672.tif 000015
【図１４】
2013021672.tif 000016
【図１５】
2013021672.tif 000017
【図１６】
2013021672.tif 000018
【図１７】
2013021672.tif 000019
【図１８】
2013021672.tif 000020